(57)【要約】【課題】施工容易に外断熱外壁構造を実現することができ、また施工時の雨の影響を受けることのない外断熱通気外壁構造及び同外壁構造を持つ外壁パネルを提供する。【解決手段】外断熱通気外壁構造１では、耐力面材６と透湿防水シート５と板状断熱材４からなり、耐力面材６に対し板状断熱材４が幅方向に張り控えられた外壁パネル３どうしの接続部に、断熱材１１と胴縁１０とからなる胴縁パネル９が取り付けられることにより、断熱材１１と外壁材２との間に上下方向の通気用空間部を有する外断熱通気外壁構造１が実現され、現場での透湿防水シート５の施工や胴縁７，１０の施工など外部作業を少なくし、施工工数自体も少ない外断熱通気外壁構造１。【選択図】    図１
2010174602.tif 000002
【特許請求の範囲】
【請求項１】
外壁材の背面に縦材を介して板状断熱材が設けられ、該板状断熱材と耐力面材とで透湿防水シートが狭持され、板状断熱材と外壁材との間に上下方向の通気用空間部を有する外張り通気外壁構造において、
耐力面材と透湿防水シートと板状断熱材からなり、耐力面材に対し板状断熱材が幅方向に張り控えられた外壁パネルどうしの接続部に、断熱材と縦材とからなる胴縁パネルが取り付けられることを特徴とする外断熱通気外壁構造。
【請求項２】
前記外壁パネルが、板状断熱材と耐力面材とで狭持された透湿防水シートの幅方向端部は幅方向に張り伸ばされ、該透湿防水シートは、該板状断熱材小口面を覆って折り返され、該板状断熱材と仮固定されている請求項１に記載の外断熱通気外壁構造。
【請求項３】
外壁材の背面に縦材を介して板状断熱材が設けられ、該板状断熱材と耐力面材とで透湿防水シートが狭持され、板状断熱材と外壁材との間に上下方向の通気用空間部を有する外張り通気外壁構造を持つ外壁パネルにおいて、
該板状断熱材と該耐力面材とで狭持された透湿防水シートの幅方向端部は幅方向に張り伸ばされ、該透湿防水シートは、該板状断熱材小口面を覆って折り返され、該板状断熱材と仮固定されていることを特徴とする外断熱通気外壁構造を持つ外壁パネル。
【発明の詳細な説明】
【技術分野】
【０００１】
本発明は、外張り通気外壁構造及び同外壁構造を持つ外壁パネルに関する。
【背景技術】
【０００２】
外断熱外壁構造では、建物の軸組みなどの躯体の屋外側に外断熱用の断熱材が備えられ、さらにその外側に外壁材が備えられる。
【先行技術文献】
【特許文献】
【０００３】
【特許文献１】特開２００２−３４８９７７号公報
【発明の概要】
【発明が解決しようとする課題】
【０００４】
しかし、外断熱用の断熱材として、ポリスチレンフォームは高価なため、外断熱構造が割高なものになってしまう。また、外断熱材の断熱材としてグラスウールボードを使用すると、施工中に雨が降った場合、グラスウールボードが雨で濡れてしまうといった問題があった。また、外断熱外壁構造は、透湿防水シートの貼り付けや通気構造とするための胴縁の施工など煩雑な外部作業が必要であった。
【０００５】
本発明は、以上のような問題点に鑑み、施工容易に外断熱外壁構造を実現することができ、また施工時の雨の影響を受けることのない外張り通気外壁構造及び同外壁構造を持つ外壁パネルを提供することを課題とする。
【課題を解決するための手段】
【０００６】
上記の課題は、外壁材の背面に縦材を介して板状断熱材が設けられ、該板状断熱材と耐力面材とで透湿防水シートが狭持され、板状断熱材と外壁材との間に上下方向の通気用空間部を有する外張り通気外壁構造において、
耐力面材と透湿防水シートと板状断熱材からなり、耐力面材に対し板状断熱材が幅方向に張り控えられた外壁パネルどうしの接続部に、断熱材と縦材とからなる胴縁パネルが取り付けられることを特徴とする外断熱通気外壁構造により解決される。
【０００７】
本外断熱通気外壁構造では、耐力面材と透湿防水シートと板状断熱材からなり、耐力面材に対し板状断熱材が幅方向に張り控えられた外壁パネルどうしの接続部に、断熱材と胴縁とからなる胴縁パネルが取り付けられることにより、断熱材と外壁材との間に上下方向の通気用空間部を有する外断熱通気外壁構造が実現され、現場での透湿防水シートの施工や胴縁の施工など外部作業を少なくし、施工工数自体も少なく外張り断熱通気外壁構造を提供することができる。
【０００８】
また、耐力面材に対し板状断熱材が幅方向に張り控えられた外壁パネルどうしの接続部に、断熱材と縦材とからなる胴縁パネルが取り付けられることで、断熱材が隙間なく施工されるため、施工のばらつきのない確実な外断熱通気外壁構造が提供される。
【０００９】
上記外壁構造において、外壁パネルが、板状断熱材と耐力面材とで狭持された透湿防水シートの幅方向端部は幅方向に張り伸ばされ、該透湿防水シートは、該板状断熱材小口面を覆って折り返され、該板状断熱材と仮固定されているとよい。
【００１０】
板状断熱材と耐力面材とで狭持された透湿防水シートが、板状断熱材小口面を覆って折り返されているので、板状断熱材小口面からの水の浸入を防ぐことができ、外壁パネルの施工時、運搬時に雨がふっても、板状断熱材の小口面を濡らすことがない。特に、板状断熱材が、例えばグラスウールを固め、表裏面に防水用の孔あきシートを貼り付けたグラスウールボードである場合、小口面の防水処理をしていなくても、本構造により、運搬時、施工時の雨濡れを防ぐことができ、グラスウールボード小口面に特別の処理を施す手間を省くことができる。
【００１１】
また、上記の課題は、外壁材の背面に縦材を介して板状断熱材が設けられ、該板状断熱材と耐力面材とで透湿防水シートが狭持され、板状断熱材と外壁材との間に上下方向の通気用空間部を有する外張り通気外壁構造を持つ外壁パネルにおいて、
該板状断熱材と該耐力面材とで狭持された透湿防水シートの幅方向端部は幅方向に張り伸ばされ、該透湿防水シートは、該板状断熱材小口面を覆って折り返され、該板状断熱材と仮固定されていることを特徴とする外断熱通気外壁構造を持つ外壁パネルによっても解決される。
【発明の効果】
【００１２】
本発明は以上のとおりであるから、施工容易に外断熱外壁構造を実現することができ、また施工時の雨の影響を受けることのない外断熱通気外壁構造及び同外壁構造を持つ外壁パネルを提供することができる。
【図面の簡単な説明】
【００１３】
【図１】本発明の実施形態である外断熱通気外壁構造を示すものであって、図（イ）は断面側面図、図（ロ）は分解断面側面図である。
【図２】図（イ）は外壁パネルの分解断面側面図、図（ロ）は同断面側面図である。
【図３】外壁パネルの平面図である。
【図４】図（イ）は胴縁パネルの分解断面側面図、図（ロ）は同断面側面図である。
【図５】図(イ)〜図（ニ）は、柱に外壁パネル及び胴縁パネルの取り付け状況を順に示す、断面側面図である。
【発明を実施するための形態】
【００１４】
次に、本発明の実施形態を図面に基づいて説明する。
【００１５】
図１（イ）、（ロ）に示す本発明の実施形態である木造軸組構造に適用される外断熱通気外壁構造１において、２は外装材、３は外壁パネル、９は胴縁パネルである。なお、１２は木造軸組構造を構成する柱、１３は柱１２間に充填される充填断熱材である。外壁パネル３は、板状断熱材４、透湿防水シート５、耐力面材６、胴縁７、縦桟８から構成される。また、胴縁パネル９は、胴縁１０、断熱材１１から構成される。本実施形態では、断熱材４としてのグラスウールボード、耐力面材６としての構造用中密度繊維板（ＭＤＦ）、胴縁７、１０としてのポリスチレン材が用いられている。
【００１６】
外壁パネル３は図２（イ）、（ロ）に示すように耐力面材６の表面側に板状断熱材４が透湿防水シート５を挟んで取り付けられている。板状断熱材であるグラスウールボードはグラスウールを固め、表面と裏面に孔あきシートが貼り付けられている。板状断熱材の幅寸法は耐力面材６の幅寸法に対して短めに設定され、板状断熱材４は、耐力面材６に対して、両側面から貼り控えて取り付けられている。また、透湿防水シート５の幅方向寸法は、耐力面材６の幅寸法より長く設定され、透湿防水シート５は、耐力面材６に対して、両側面から貼り伸ばして取り付けられている。
【００１７】
外壁パネル３の幅方向中間部には、板状断熱材４の上から胴縁７が、耐力面材６の裏面側に固定される柱に対してビスで固定されている。なお、１４は、胴縁７の固定時に圧縮性のあるグラスウールボードからなる板状断熱材７が沈み込むのを防止するために、板状断熱材４の胴縁７が取り付けられる箇所に、胴縁７の長尺方向に所定間隔で配置される、板状断熱材沈み込み防止用の圧縮補強材である。
【００１８】
外壁パネル３の幅方向に貼り伸ばされた透湿防水シート５は、図２（ロ）に示すように、板状断熱材４の小口を覆って、板状断熱材４の表面側に巻き込んでテープ等により仮固定されている。そのため、外壁パネル３の運搬時、施工時に板状断熱材４の小口面からの水の浸入を防止することができる。なお、本実施例では、図３に示すように、外壁パネル３の上部側にも透湿防水シート５が貼り伸ばされ、板状断熱材４の上側小口面を覆うように折り返されている。これにより、水上側の板状断熱材小口面からの水の浸入を防止することができる。
【００１９】
胴縁パネル９は図４（イ）、（ロ）に示すように断熱材１１の表面側に胴縁１０が取り付けられている。なお、１５は、胴縁１０の固定時に圧縮性のあるグラスウールボードからなる断熱材１１が沈み込むのを防止するために、断熱材１１の胴縁１０が取り付けられる箇所に、胴縁１０の長尺方向に所定間隔で配置される、断熱材沈み込み防止用の圧縮補強材である。
【００２０】
外壁パネルの施工は次のように行われる。図５（イ）に示すように、木造軸組構造を構成する柱１２間に外壁パネル３を固定する。外壁パネル３の固定は、耐力面材６の張り出し部に柱１２を下地としてビス１６により固定される。次に図５（ロ）に示すように、外壁パネル３を柱１２に固定後、板状断熱材４の小口を覆って、板状断熱材４の表面側に巻き込んでテープ等により仮固定されている透湿防水シート５の張り伸ばし部の仮固定を外し、透湿防水シート５を耐力面材６の張り出し部に固定する。耐力面材６の側面どうしをつき合わせて柱１２に固定されている外壁パネル３，３は、それぞれの外壁パネル３，３の透湿防水シート４，４を耐力面材６の張り出し部に固定することで、本外断熱通気外壁構造において、透湿防水面が形成される。
【００２１】
次に、図５（ハ）、（ニ）に示すように外壁パネル３，３間に胴縁パネル９を固定する。胴縁パネル９の幅寸法は、外壁パネル３，３を柱１２に固定したときの、板状断熱材４，４間の寸法に合うように設定されているので、外壁パネル３，３間に胴縁パネル４を固定すると、外壁パネル３，３の板状断熱材４，４間に胴縁パネル９の断熱材１１が互いに側面を接して連続し、本外断熱通気外壁構造において、板状断熱材からなる断熱材層が形成される。なお、胴縁パネル９の固定は、胴縁パネル９の胴縁１０の上から柱１２を下地としてビス１６で固定される。断熱材１１には、圧縮性のあるグラスウールボードからなる断熱材１１が沈み込むのを防止するために、断熱材１１の胴縁１０が取り付けられる箇所に、胴縁１０の長尺方向に所定間隔で圧縮補強材１５が取り付けられている。
【００２２】
そして、図示しないが、外装材２を胴縁、断熱材を介して、柱１２、縦桟８にビスで固定することで、外断熱通気外壁構造が形成される。
【００２３】
本外壁構造では、耐力面材と透湿防水シートと板状断熱材からなり、耐力面材に対し板状断熱材が幅方向に張り控えられた外壁パネルどうしの接続部に、断熱材と縦材とからなる胴縁パネルが取り付けられることにより、板状断熱材と外壁材との間に上下方向の通気用空間部を有する外張り通気外壁構造が実現され、現場での透湿防水シートの施工や胴縁の施工など外部作業を少なくし、施工工数自体も少なく外張り断熱通気外壁構造を提供することができる。
【００２４】
また、耐力面材に対し断熱材が幅方向に張り控えられた外壁パネルどうしの接続部に、断熱材と縦材とからなる胴縁パネルが取り付けられることで、断熱材が隙間なく施工されるため、施工のばらつきのない確実な外断熱通気外壁構造が提供される。
【００２５】
断熱材と耐力面材とで狭持された透湿防水シートが、断熱材小口面を覆って折り返されているので、断熱材小口面からの水の浸入を防ぐことができ、外壁パネルの施工時、運搬時に雨が降っても、断熱材の小口面を濡らすことがない。特に、断熱材が、例えばグラスウールを固め、表裏面に防水用の孔あきシートを貼り付けたグラスウールボードである場合、小口面の防水処理をしていなくても、本構造により、運搬時、施工時の雨濡れを防ぐことができ、グラスウールボード小口面に特別の処理を施す手間を省くことができる。
【００２６】
以上に、本発明の実施形態を示したが、本発明はこれに限られるものではなく、発明思想を逸脱しない範囲で各種の変更が可能である。例えば、上記の実施形態では、外壁パネルの室内側に充填断熱材を配置した外断熱通気外壁構造について示したが、充填断熱材はなくてもよい。また、胴縁の固定で断熱材が沈みこむのを防止するために、断熱材沈み込み防止用の圧縮補強材を断熱材に取り付けているが、圧縮補強材はなくてもよく、胴縁の取り付け時に断熱材の圧縮を防止する治具などによって、断熱材の圧縮を防止してもよい。
【００２７】
また、本発明の適用対象は、木造軸組構造の建物に限られるものではなく、鉄骨軸組構造の建物であってもよいし、軸組構造以外の建物であってもよいし、鉄筋コンクリートや鉄筋鉄骨コンクリート、鉄骨コンクリート等あらゆる躯体構造をした各種建物に広く用いることができるものであることはいうまでもない。
【００２８】
また、上記実施形態では、外壁パネルを柱に固定した場合について示したが、外壁パネルの固定は間柱であってもよいのはいうもでもない。
【符号の説明】
【００２９】
１・・・外断熱通気外壁構造
２・・・外装材
３・・・外壁パネル
４・・・板状断熱材
５・・・透湿防水シート
６・・・耐力面材
７・・・胴縁
８・・・縦桟
９・・・胴縁パネル
１０・・・胴縁
１１・・・断熱材
１２・・・柱（間柱）
１３・・・充填断熱材
１４，１５・・・圧縮補強材
【図１】
2010174602.tif 000003
【図２】
2010174602.tif 000004
【図３】
2010174602.tif 000005
【図４】
2010174602.tif 000006
【図５】
2010174602.tif 000007